(57)【要約】【課題】記録媒体を安定して収蔵でき、情報読み取りが容易な記録媒体を収蔵可能な補綴歯及びその製造システム並びに記録媒体を収蔵した補綴歯の製造方法を提供する。【解決手段】記録媒体を収蔵可能な補綴歯２０は、内側に空間２２を有し、情報を記録及び読み取り可能な記録媒体４０を収蔵可能な凹部３０が空間２２を形成する内壁面２４に設けられ、凹部３０は、内壁面２４の頬側、唇側、近心側及び遠心側のうちのいずれかに配置されている。【選択図】図３
2018114247.tif 000002
【特許請求の範囲】
【請求項１】
内側に空間を有し、
情報を記録及び読み取り可能な記録媒体を収蔵可能な凹部が前記空間を形成する内壁面に設けられ、
前記凹部は、前記内壁面の頬側、唇側、近心側及び遠心側のうちのいずれかに配置された、
記録媒体を収蔵可能な補綴歯。
【請求項２】
前記空間は、前記補綴歯を部分的に欠損した天然歯又は人工歯根に取り付けるための空間であり、前記凹部は、前記天然歯又は前記人工歯根との対向面に配置された、請求項１に記載の補綴歯。
【請求項３】
前記補綴歯は、犬歯又は臼歯として用いる歯であり、前記凹部は、前記内壁面の頬側に配置された、請求項１又は２に記載の補綴歯。
【請求項４】
前記補綴歯は、前歯として用いる歯であり、前記凹部は、前記内壁面の唇側に配置された、請求項１又は２に記載の補綴歯。
【請求項５】
情報を入力する情報入力装置と、
入力された前記情報を記録媒体に書き込む情報書き込み装置と、
前記情報が記録された前記記録媒体を収蔵可能な凹部を有する補綴歯を製造する３次元加工装置と、
を備える、記録媒体を収蔵可能な補綴歯の製造システム。
【請求項６】
前記情報入力装置と、前記情報書き込み装置と、前記３次元加工装置とが、歯科医院又は歯科技工所に設置された、請求項５に記載の製造システム。
【請求項７】
前記情報は歯科治療を受ける患者に関する個人情報であり、
前記補綴歯は前記患者のための補綴歯であって、内側に空間を有し、前記個人情報を記録及び読み取り可能な記録媒体を収蔵可能な凹部が前記空間を形成する内壁面に設けられ、前記凹部は、前記内壁面の頬側、唇側、近心側及び遠心側のうちのいずれかに配置された、
請求項５又は６に記載の製造システム。
【請求項８】
情報を入力する工程と、
入力された前記情報を記録媒体に書き込む工程と、
前記情報が記録された前記記録媒体を収蔵可能な凹部を有する補綴歯を製造する工程と、
前記補綴歯の前記凹部に前記記録媒体を埋め込む工程と、
を含む、記録媒体を収蔵した補綴歯の製造方法。
【請求項９】
前記情報を入力する工程は、歯科医院において歯科治療を受ける患者から入手した当該患者の個人情報を当該歯科医院において入力する工程であり、
前記補綴歯は前記患者のための補綴歯であって、内側に空間を有し、前記個人情報を記録及び読み取り可能な記録媒体を収蔵可能な凹部が前記空間を形成する内壁面に設けられ、前記凹部は、前記内壁面の頬側、唇側、近心側及び遠心側のうちのいずれかに配置され、
前記補綴歯の前記凹部に前記記録媒体を埋め込む工程は、前記歯科医院又は歯科技工所において行う工程である、
請求項８に記載の製造方法。
【発明の詳細な説明】
【技術分野】
【０００１】
本発明は、記録媒体を収蔵可能な補綴歯及びその製造システム並びに記録媒体を収蔵した補綴歯の製造方法に関する。
【背景技術】
【０００２】
大規模な災害や事件、事故に巻き込まれた人物の身元を特定する際に、手がかりとなるものがない場合がある。例えば、免許証など身元を特定できるものを何も所持していない場合である。また、災害や事件、事故に巻き込まれた後、かなりの年月が経過してから発見されたような場合もある。
【０００３】
そのような場合、例えば歯の治療痕と歯科カルテを照合して身元を特定することがしばしば行われる。しかし歯科カルテを探すことは容易ではなく、該当する歯科カルテが必ずしも発見されるとは限らない。また身元特定の方法として、ＤＮＡ鑑定や指紋鑑定を行うことも考えられる。しかしＤＮＡ鑑定では、該当者又は関連すると考えられる人物を想定する必要があるが、そのような人物が不明な場合もある。また指紋鑑定では、時間の経過とともに指紋が採取できない状況になり、また採取できてもそれと比較すべき該当者の指紋が採取できないような場合もある。また、これらの方法は、いずれも多大な時間とコストがかかる。
【０００４】
また、移動中や旅行先で交通事故や急病その他の理由で人事不省となったような場合にも、身元を特定することが困難な場合がある。また最近では、認知症患者が保護されたがその地域では該当者がなく、結局身元が不明となってしまうような事件も発生している。
【０００５】
このような場合に、容易に身元の特定ができるように、個人を特定できる情報を記憶させた記憶保持媒体を、口腔内の補綴物や義歯に埋め込んだり貼り付けたりする方法が考えられている。例えば特許文献１には、識別情報記録装置を、天然歯の健全な部分、修復物又は補綴物の外表面に貼付する技術が開示されている。また特許文献２には、装着者を特定する情報が格納され、その情報を発信する発信素子を内部に内蔵した人工歯を備えた有床義歯が開示されている。
【先行技術文献】
【特許文献】
【０００６】
【特許文献１】特開２０１６−１８４８８号公報
【特許文献２】特開２０１３−１０９７４５号公報
【発明の概要】
【発明が解決しようとする課題】
【０００７】
特許文献１に開示された技術は、識別情報記録装置を可逆的かつ非侵襲的な方法で設置することを目的としている。しかし、表面に設置するため、外部からの衝撃を受けて識別情報記録装置に影響が生じるおそれがある。また設置位置によっては情報の読み取りに支障を生じるおそれもある。
【０００８】
特許文献２に開示された技術は、有床義歯を取り外すことにより容易に情報を読み取り、個人を特定可能とすることを目的としている。しかし、有床義歯を必要としない者には適用できない。
【０００９】
また、口腔内の補綴物内部に記録媒体を設置するにあたり、どのような位置に設置すれば最も安定して収蔵でき、情報読み取りが容易であるかについてはいずれの文献においても検討されていない。
【００１０】
本発明は上記のような問題を解決するためになされたものであり、記録媒体を安定して収蔵でき、情報読み取りが容易な記録媒体を収蔵可能な補綴歯及びその製造システム並びに記録媒体を収蔵した補綴歯の製造方法を提供することを目的とする。
【課題を解決するための手段】
【００１１】
上記の目的を達成するため、本発明に係る記録媒体を収蔵可能な補綴歯は、
内側に空間を有し、
情報を記録及び読み取り可能な記録媒体を収蔵可能な凹部が前記空間を形成する内壁面に設けられ、
前記凹部は、前記内壁面の頬側、唇側、近心側及び遠心側のうちのいずれかに配置されている。
【００１２】
また、前記空間は、前記補綴歯を部分的に欠損した天然歯又は人工歯根に取り付けるための空間であり、前記凹部は、前記天然歯又は前記人工歯根との対向面に配置されたものであってもよい。
【００１３】
また、前記補綴歯は、犬歯又は臼歯として用いる歯であり、前記凹部は、前記内壁面の頬側に配置されたものであってもよい。
【００１４】
また、前記補綴歯は、前歯として用いる歯であり、前記凹部は、前記内壁面の唇側に配置されたものであってもよい。
【００１５】
上記の目的を達成するため、本発明に係る記録媒体を収蔵可能な補綴歯の製造システムは、
情報を入力する情報入力装置と、
入力された前記情報を記録媒体に書き込む情報書き込み装置と、
前記情報が記録された前記記録媒体を収蔵可能な凹部を有する補綴歯を製造する３次元加工装置と、
を備える。
【００１６】
上記製造システムにおいて、前記情報入力装置と、前記情報書き込み装置と、前記３次元加工装置とが、歯科医院又は歯科技工所に設置されたものであってもよい。
【００１７】
また、前記情報は歯科治療を受ける患者に関する個人情報であり、
前記補綴歯は前記患者のための補綴歯であって、内側に空間を有し、前記個人情報を記録及び読み取り可能な記録媒体を収蔵可能な凹部が前記空間を形成する内壁面に設けられ、前記凹部は、前記内壁面の頬側、唇側、近心側及び遠心側のうちのいずれかに配置されたものであってもよい。
【００１８】
上記の目的を達成するため、本発明に係る記録媒体を収蔵した補綴歯の製造方法は、
情報を入力する工程と、
入力された前記情報を記録媒体に書き込む工程と、
前記情報が記録された前記記録媒体を収蔵可能な凹部を有する補綴歯を製造する工程と、
前記補綴歯の前記凹部に前記記録媒体を埋め込む工程と、
を含む。
【００１９】
上記方法において、前記情報を入力する工程は、歯科医院において歯科治療を受ける患者から入手した当該患者の個人情報を当該歯科医院において入力する工程であり、
前記補綴歯は前記患者のための補綴歯であって、内側に空間を有し、前記個人情報を記録及び読み取り可能な記録媒体を収蔵可能な凹部が前記空間を形成する内壁面に設けられ、前記凹部は、前記内壁面の頬側、唇側、近心側及び遠心側のうちのいずれかに配置され、
前記補綴歯の前記凹部に前記記録媒体を埋め込む工程は、前記歯科医院又は歯科技工所において行う工程であってもよい。
【発明の効果】
【００２０】
本発明によれば、記録媒体を安定して収蔵でき、情報読み取りが容易な記録媒体を収蔵可能な補綴歯及びその製造システム並びに記録媒体を収蔵した補綴歯の製造方法を提供することができる。
【図面の簡単な説明】
【００２１】
【図１】（ａ）は、臼歯の歯根とそれに装着する本発明の実施の形態に係る補綴歯を頬側から見た側面図、（ｂ）は補綴歯を装着する歯根を上から見た上面図である。
【図２】（ａ）は、図１に示す補綴歯を装着したときの頬側から見た側面図、（ｂ）はその上面図である。
【図３】（ａ）は、記録媒体を収蔵した補綴歯を頬側から見た側面図、（ｂ）は補綴歯の近心側から見た側面図である。
【図４】（ａ）は、本発明に用いる記録媒体（ＲＦＩＤタグ）の構成図、（ｂ）は書き込み／読み取り装置の一例である。
【図５】本発明に係る、記録媒体を収蔵可能な補綴歯の製造システムの構成図である。
【図６】本発明に係る、記録媒体を収蔵した補綴歯の製造方法を示すフローチャートである。
【発明を実施するための形態】
【００２２】
本発明の実施の形態に係る補綴歯、補綴歯の製造システム、補綴歯の製造方法について説明する。ここでいう補綴歯とは、虫歯や歯周病などの病気、あるいは事故などにより、歯の一部が欠損し、又は全体が失われた場合に、その部分を補うために人工的に製造した歯を意味する。補綴歯には、歯の上部を覆うクラウン、人工歯根（インプラント）の上に装着する人工歯、歯と歯の間に設けるブリッジ、入れ歯（有床義歯）に用いる人工歯などがある。
【００２３】
クラウンは、歯の一部が欠損した場合、欠損部に被せて天然歯の形状に修復するものである。これには、歯の上部の一部を部分的に覆う一部被覆冠と、歯の上部全体を覆う全部被覆冠とがある。材料としては、陶材、金やパラジウム合金などの金属、硬質レジン（樹脂）、ジルコニア（酸化ジルコニウム）等の無機材料を焼結したセラミックス、これらを組み合わせたものなどがある。
【００２４】
人工歯根（インプラント）は、歯が全て失われた場合、顎の骨にチタンなどの金属製の人工歯根を埋め込んだものであり、その上に人工歯を装着する。人工歯の材料は上で述べたような材料を使用することができる。
【００２５】
ブリッジは、全部欠損した歯の両隣の歯が一部でも残っている場合、両隣の歯を支持材として欠損した歯を（両隣の歯も合わせて）修復するものである。両隣の歯に負担がかかるという問題があるが、人工歯根のように顎の骨を傷つけなくてもすむというメリットがある。材料は上で述べたような材料を使用することができる。
【００２６】
有床義歯（部分入れ歯や総入れ歯）は、金属製や樹脂製の土台（床）に、各種材料を用いた人工歯を配列したものである。人工歯の材料は上で述べたような材料を使用することができる。
【００２７】
本発明に係る補綴歯は、その内側に記録媒体を収蔵可能な凹部が設けられている。内側とは、装着したときに外部から見えない領域である。クラウンやインプラント用の補綴歯には、土台となる天然歯やインプラントに被せて固定するため、補綴歯の内側に天然歯やインプラントの表面外形と相補的な形状を持つ空間が設けられている。本発明の補綴歯において、記録媒体を収蔵する凹部は、その空間を形成する内壁面に設けられる。つまり、凹部は土台となる天然歯やインプラントに対向する面に設けられる。また、ブリッジや入れ歯用の人工歯などには、内部に埋め込み作業が可能な空間を設け、記録媒体を収蔵する凹部をその空間に面する内壁面に設けることができる。内壁面は、補綴歯を装着した時には外部から見えなくなる。
【００２８】
凹部は、補綴歯の内壁面において、歯の外側に近い位置に設ける。具体的には、犬歯（上顎、下顎の左右それぞれの３番歯）と臼歯（上顎、下顎の左右それぞれの４〜８番歯）では頬側（頬に近い側）に、前歯（上顎、下顎の左右それぞれの１、２番歯）では唇側（唇に近い側）に設ける。また、それぞれの歯の近心側又は遠心側（いずれも隣の歯と接する側）に設けてもよい。このような位置に設けることにより、より外部に近くなり、また情報を読み取る電磁波が補綴歯の本体を通過する距離が短くなり、収蔵した記録媒体から情報を読み取ることがより容易になる。
【００２９】
また、上記のような側方位置は咀嚼時に噛み合う咬合面から離れているため、咀嚼時の歯のかみ合わせによる応力を受けにくく、記録媒体の損傷を避けることができる。
【００３０】
また、凹部を補綴歯の頬側、唇側、近心側又は遠心側の中央部に配置することにより、凹部の周囲に肉厚部分を確保することができ、咀嚼時の応力を緩和し、記録媒体の損傷を防ぐことにさらに効果がある。
【００３１】
凹部の大きさは、収蔵する記録媒体の大きさよりやや大きい程度とする。具体的には、記録媒体の寸法が、縦横がそれぞれ２〜５ｍｍ、厚さが０．３〜２ｍｍ程度であるので、それよりやや大きい縦幅と横幅と深さを有する凹部とする。凹部は、記録媒体を収容した後に、歯科用樹脂等を用いて埋められる。
【００３２】
本発明に係る補綴歯２０の具体例について、図１、２を参照して説明する。図１に示すように、補綴歯２０は、下顎左側の５番臼歯の歯根１５に被せるセラミックス製のクラウン（全部被覆冠）である。図では、わかりやすくするために５番臼歯の左隣の４番臼歯１４、右隣の６番臼歯１６までを示している。補綴歯２０を被せるため、５番臼歯の歯根１５は棒状に切削加工されている。歯根１５は、補綴歯２０を被せる範囲が歯茎１０から露出している。補綴歯２０は、その内側に歯根１５の外形と相補的な形状の空間２２が形成されている。補綴歯２０は、図１（ａ）に示すように補綴歯２０の空間２２に歯根１５が収まるように嵌め込んで接合すると、図２に示すように天然歯と同じ外観を呈するように形成されている。
【００３３】
図３（ａ）、（ｂ）に示すように、補綴歯２０は、個人情報を記録した記録媒体４０を収蔵することが可能な凹部３０が設けられている。凹部３０は、補綴歯２０の内側の表面（内壁面）２４に形成されている。内壁面２４は、空間２２を形成する面である。凹部３０は記録媒体４０の形状に対応した形状を有し、かつ記録媒体４０の大きさよりも大きな寸法を有する。具体的には、記録媒体４０の寸法がおよそ３．２ｍｍ（縦）×３．２ｍｍ（横）×０．７ｍｍ（厚さ）の矩形であるので、凹部３０の寸法はおよそ縦幅Ｌが４ｍｍ、横幅Ｗが４ｍｍ、深さＤが１ｍｍの矩形である。
【００３４】
補綴歯２０の内壁面２４は、補綴歯２０を装着したときに外からは見えない。凹部３０をこのような位置に設けることにより、凹部３０を樹脂で埋めた痕跡が残っても外部から見えないために審美的な外観を損ねることがない。また、凹部３０を空間２２に面した内壁面２４に設けることにより、補綴歯２０を口腔内に装着する前に、凹部３０に記録媒体４０を歯科用レジン等で埋め込む作業が可能となる。
【００３５】
凹部３０は、内壁面２４の頬側壁面２４ａの中央部に設けられている。凹部３０を頬側壁面２４ａに設けることにより、凹部３０に配置した記録媒体４０と外部との距離を短くするとともに、補綴歯２０の本体を電磁波が通過する距離も短くすることができる。そのため、収蔵した記録媒体４０から情報を読み取ることがより容易になる。
【００３６】
補綴歯２０の頬側部分は、凹部３０を設けることにより中間部２６の厚さが減少するが、凹部３０を中央付近に設けることにより、根元部２５と上部２７の厚さを確保できるので、咀嚼時の変形応力に耐え、記録媒体４０の破損を防止する構造とすることができる。
【００３７】
（記録媒体）
記録媒体４０として、ＲＦＩＤ（Ｒａｄｉｏ  Ｆｒｅｑｕｅｎｃｙ  Ｉｄｅｎｔｉｆｉｅｒ）に用いられるＲＦＩＤタグを用いることができる。ＲＦＩＤタグは、非接触式の情報書き込み（記録）及び読み取りが可能なＩＣチップである。中でもパッシブタイプのＲＦＩＤタグは、それ自身に電源を搭載しておらず、外部からの電磁波によりエネルギーを得て記録可能かつ記録した情報を外部へ送出可能なように構成されており、補綴歯の内部に埋め込むことが可能な程度に小型化できる。ＲＦＩＤタグには、情報書き込み装置を用いてあらかじめ情報を記録しておく。
【００３８】
ＲＦＩＤタグは、書き込み／読み取り用の電磁波の周波数として、ＵＨＦ帯の電磁波を用いるもの、ＨＦ帯の電磁波を用いるものなどがある。いずれの方式も採用可能であり、埋め込み可能な大きさのＲＦＩＤタグを選択する。読み取り距離は、周波数やＩＣチップに内蔵されるアンテナの大きさによって決まる。読み取り距離があまり短いと読み取り作業が難しくなり、読み取り距離があまり長いと、第３者から情報を盗まれるおそれもあるため、１ｃｍ〜数十ｃｍ程度の読み取り距離であるものが好ましい。
【００３９】
ＲＦＩＤタグは、一度記録した情報を外部から電磁波により書き換え（上書き）することが可能である。そのため、もし記録した情報に変更が生じた場合に書き換えることが可能である。また、一度記録した個人情報を何らかの理由で削除したい場合等に、記録した情報を消去することも可能である。
【００４０】
記録媒体から情報を読み取る場合は、読み取り装置を用いて所定の周波数の電磁波を補綴歯から数ｃｍ〜数十ｃｍの距離から照射する。これにより、ＲＦＩＤタグから情報を含んだ電磁波が送出されるので、それを受信して読み取ることができる。
【００４１】
このような記録媒体とその読み取り装置は、社会に広く普及したものを用いることが好ましい。情報を読み取ることがいつどこで必要になるかわからないからである。広く普及している読み取り技術で読み取れる記録媒体であれば、どこで情報が必要になってもすぐに情報を読み取り、身元を確認することができる。その意味でも、ＲＦＩＤタグが好ましい。
【００４２】
ＲＦＩＤタグの構成について図４を参照して説明する。図４（ａ）に示すように、ＲＦＩＤタグ１は、制御部４とメモリ５を備えたＩＣ６と、無線高周波回路７と、アンテナ８とを備える。情報を記録するときは、図４（ｂ）に示すように、パソコン３に入力した情報を、ＩＳＯ１５６９３規格に準拠したリーダー／ライター２を介してＲＦＩＤタグ１に書き込むことができる。ＲＦＩＤタグ１に記録した情報を読み取るときは、同種のリーダー／ライター２により読み取ることができる。尚、リーダー／ライター２は、ペン形の形状とし、口内に入れて、メモリ５に近接使用することも可能である。
【００４３】
具体的なＲＦＩＤタグの例として、例えば株式会社村田製作所のＲＦＩＤタグ（品番ＬＸＭＳ３３ＨＣＮＧ−１３４）を用いることができる。これは基板に制御部と情報を記録可能なメモリを備えたＩＣとアンテナを積層して構成したもので、縦横がそれぞれ約３．２ｍｍ、厚さが約０．７ｍｍである。書き込み／読み取り周波数は１３．５６ＭＨｚ（ＨＦ帯）であり、読み取り距離は約１５ｍｍである。
【００４４】
記録媒体４０に記録される情報は、歯科治療を受ける患者に関する個人情報である。これは、歯科治療に必要な情報として、患者から直接入手した情報である。また、患者の要望に応じて追加の情報を患者からさらに入手してもよい。このような情報は、例えば氏名、生年月日、住所、連絡先などである。記録媒体４０の記録容量が大きい場合は、さらに顔写真などを追加してもよい。
【００４５】
（記録媒体を収蔵可能な補綴歯の製造システム）
記録媒体を収蔵可能な補綴歯の製造システム１００は、歯科医院での歯科治療において補綴歯を採用する場合に、その補綴歯を製造するために用いる。補綴歯は患者によってその形状が異なるので、基本的にオーダーメイドである。そのため、歯科医院において補綴歯を使用する治療を行うと決定され、患者が患者自身の個人情報を記録した記録媒体を補綴歯に埋め込むことを希望した場合に、補綴歯の製造システム１００を用いて、記録媒体を収蔵可能な補綴歯を製造する。
【００４６】
図５に示すように、補綴歯の製造システム１００は、情報を入力する情報入力装置５０と、入力された情報を記録媒体に書き込む情報書き込み装置６０と、情報が記録された記録媒体を収蔵する凹部を有する補綴歯を製造する３次元加工装置７０と、を備える。情報入力装置５０と、情報書き込み装置６０と、３次元加工装置７０とは、いずれも歯科医院又は歯科技工所に備えることができる。情報読み取り装置は必ずしも備えなくてもよいが、ＲＦＩＤを用いる場合は、情報書き込み装置６０と兼用することができる。
【００４７】
記録媒体に記録される情報は、先に述べたように歯科治療を受ける患者に関する個人情報である。そのため、情報入力装置５０として例えば歯科医院に設置されたパソコンを用い、患者から取得した情報を入力し、記憶させることができる。情報を記録媒体に書き込む情報書き込み装置６０としては、例えば歯科医院又は歯科技工所に設置された、ＲＦＩＤタグ等に情報を書き込み／読み取りするためのＲＦＩＤタグ用のリーダー／ライターを用いることができる。この場合、パソコンに記憶された情報を、リーダー／ライターにコピーしてからＲＦＩＤタグに書き込む。あるいは、情報入力装置５０と情報書き込み装置６０を兼ねてリーダー／ライターを用いてもよい。
【００４８】
製造システム１００で製造する補綴歯は治療を受ける患者のための補綴歯である。この補綴歯は、先に説明した特徴を備えている。このような特徴を備える補綴歯は形状が複雑なため、３次元加工装置７０として、ＣＡＤ（Ｃｏｍｐｕｔｅｒ  Ａｉｄｅｄ  Ｄｅｓｉｇｎ）／ＣＡＭ（Ｃｏｍｐｕｔｅｒ  Ａｉｄｅｄ  Ｍａｎｕｆａｃｔｕｒｉｎｇ）や３次元積層装置、いわゆる３Ｄプリンターなどを用いる。ＣＡＤ／ＣＡＭや３Ｄプリンターは歯科医院又は歯科技工所に設置することができる。
【００４９】
補綴歯に用いられる材料のうち、特にセラミックス材料は化学的に安定で生体的親和性もあり、硬度が高く、変色も少ないという利点がある。しかし焼成により収縮することに加えて硬度が高いため寸法的に精密な加工が難しいといった欠点があった。しかしＣＡＤ／ＣＡＭのような３次元加工装置が歯科分野にも適用され、さらにパソコンを用いて制御することもできるようになってきた。そのため、本発明に係る複雑な形状の補綴歯を、セラミックス材料やその他の材料を用いて歯科医院や歯科技工所において製造することも可能である。つまり、歯科医院単独で、又は歯科医院と歯科技工所との連携により、記録媒体を収蔵可能な補綴歯の製造を容易に行うことができる。
【００５０】
なお、３次元加工装置７０を用いて補綴歯を製造する前に、患者の歯科診断結果に基づいて、補綴歯を設計する必要がある。歯科医師は歯科診断を行い、その診断結果に基づいて補綴歯を設計する。さらにその補綴歯に設ける凹部の位置を設計する必要がある。これは歯科医師又は歯科技工士が行うことができる。このような設計は、歯科医院又は歯科技工所に備えたパソコンを用いて行うことができる。凹部を備えた補綴歯の設計が完了すると、歯科医師又は歯科技工士がそのデータを３次元加工装置７０に入力する。３次元加工装置７０は、そのデータに基づいて補綴歯を加工する。
【００５１】
なお、補綴歯を希望する患者が、補綴歯に記録媒体を収蔵することを希望しない場合もある。このような場合は、記録媒体を収蔵する凹部を形成しない一般の補綴歯を製造すればよい。
【００５２】
（記録媒体を収蔵した補綴歯の製造方法）
記録媒体を収蔵した補綴歯の製造方法は、情報を入力し、記憶させる工程と、記憶された情報を記録媒体に書き込む工程と、記録媒体を収蔵する凹部を有する補綴歯を設計する工程と、設計された補綴歯を製造する工程と、補綴歯の凹部に記録媒体を埋め込む工程と、を含む。
【００５３】
具体的には、図６に示すように、まず入力する情報を、治療のため歯科医院に来院した患者から入手する（ステップＳ１０）。次に、患者から入手した情報を、歯科医院において例えばパソコンに入力してメモリに記憶させる（ステップＳ１１）。次に、入力した情報を例えばリーダー／ライターを用いて記録媒体（ＲＦＩＤタグ等）に書き込む（ステップＳ１２）。
【００５４】
次に、歯科診断の結果からどのような補綴歯を製造するかを決定し、パソコン等を用いて補綴歯とそれに形成する凹部の位置を設計する（ステップＳ１３）。どのような補綴歯を製造するかは歯科医師が決定する。凹部の位置は歯科医師又は歯科技工士が設計することができる。そして凹部を有する補綴歯を、その設計に基づいて３次元加工装置を用いて製造する（ステップＳ１４）。
【００５５】
最後に、情報を記録した記録媒体を、補綴歯の凹部に歯科用樹脂、歯科用接着剤等を用いて埋め込む（ステップＳ１５）。この工程は歯科医師や歯科技工士が歯科医院や歯科技工所で行うことができる。以上により記録媒体を収蔵した補綴歯が完成する。
【００５６】
ステップＳ１０からＳ１２までと、ステップＳ１３からＳ１４までとは、独立して行うことができる。場合によっては、両者を並行して行うことができる。情報が記録された記録媒体ができ（ステップＳ１２が完了）、かつ凹部を有する補綴歯が製造された段階（ステップＳ１４が完了）で、ステップＳ１５を実行すればよい。
【００５７】
以上のような補綴歯の製造システムや製造方法を用いることにより、個人情報を記録した記録媒体を補綴歯に埋め込むことを希望する患者は、歯科医院に行ってその旨を申し込むだけでよい。患者は申し込むだけで歯科治療を行うと同時に記録媒体を収蔵した補綴歯が完成するので、このような処置を選択するかどうかを気軽に検討することができる。また歯科医院にとっては、患者に新たな選択肢を提示できるというメリットがある。
【符号の説明】
【００５８】
１  ＲＦＩＤタグ
２  リーダー／ライター
３  パソコン
４  制御部
５  メモリ
６  ＩＣ
７  無線高周波回路
８  アンテナ
１０  歯茎
１４  ４番臼歯
１５  歯根
１６  ６番臼歯
２０  補綴歯
２２  空間
２４  表面（内壁面）
２４ａ  頬側壁面
２５  根元部
２６  中間部
２７  上部
３０  凹部
４０  記録媒体
５０  情報入力装置
６０  情報書き込み装置
７０  ３次元加工装置
１００  製造システム
Ｌ  縦幅
Ｗ  横幅
Ｄ  深さ
【図１】
2018114247.tif 000003
【図２】
2018114247.tif 000004
【図３】
2018114247.tif 000005
【図４】
2018114247.tif 000006
【図５】
2018114247.tif 000007
【図６】
2018114247.tif 000008